(57)【要約】【課題】使用者が要求するようにカメラの動作を適切に制御可能なカメラ付き携帯機器およびカメラ制御方法を提供する。【解決手段】カメラの動作を制御可能なカメラ付き携帯機器は、カメラ付き携帯機器の向きを検出する向き検出手段と、向き検出手段の検出結果に基づいて、カメラを制御する制御手段と、を含む。【選択図】図１Ａ
2012124582.tif 000002
【特許請求の範囲】
【請求項１】
カメラを制御可能なカメラ付き携帯機器であって、
前記カメラ付き携帯機器の向きを検出する向き検出手段と、
前記向き検出手段の検出結果に基づいて、前記カメラを制御する制御手段と、を含むカメラ付き携帯機器。
【請求項２】
請求項１に記載のカメラ付き携帯機器において、
前記制御手段は、前記カメラを起動する旨の起動指示を受け付けたときの前記向き検出手段の検出結果に基づいて、前記カメラを制御する、カメラ付き携帯機器。
【請求項３】
請求項１または２に記載のカメラ付き携帯機器において、
前記制御手段は、前記向き検出手段の検出結果に基づいて、前記カメラの撮影モードを設定する、カメラ付き携帯機器。
【請求項４】
請求項１から３のいずれか１項に記載のカメラ付き携帯機器において、
前記カメラは複数存在し、
前記制御手段は、前記向き検出手段の検出結果に基づいて、複数の前記カメラから、起動させるカメラを選択する、カメラ付き携帯機器。
【請求項５】
請求項１から４のいずれか１項に記載のカメラ付き携帯機器において、
前記カメラ付き携帯機器は、当該カメラ付き携帯機器を構成する複数の筐体の位置関係に応じて機器本体の形態を複数のスタイルに変更可能なものであり、
前記カメラ付き携帯機器のスタイルを検出するスタイル検出手段をさらに含み、
前記制御手段は、前記向き検出手段の検出結果と、前記スタイル検出手段の検出結果と、に基づいて、前記カメラを制御する、カメラ付き携帯機器。
【請求項６】
カメラを制御可能なカメラ付き携帯機器でのカメラ制御方法であって、
前記カメラ付き携帯機器の向きを検出する向き検出ステップと、
前記カメラ付き携帯機器の向きに基づいて、前記カメラを制御する制御ステップと、を含むカメラ制御方法。
【請求項７】
請求項６に記載のカメラ制御方法において、
前記制御ステップでは、前記カメラを起動する旨の起動指示を受け付けたときの前記カメラ付き携帯機器の向きに基づいて、前記カメラを制御する、カメラ制御方法。
【請求項８】
請求項６または７に記載のカメラ制御方法において、
前記制御ステップでは、前記カメラ付き携帯機器の向きに基づいて、前記カメラの撮影モードを制御する、カメラ制御方法。
【請求項９】
請求項６から８のいずれか１項に記載のカメラ制御方法において、
前記カメラは複数存在し、
前記制御ステップでは、前記カメラ付き携帯機器の向きに基づいて、複数の前記カメラから、起動させるカメラを選択する、カメラ制御方法。
【請求項１０】
請求項６から９のいずれか１項に記載のカメラ制御方法において、
前記カメラ付き携帯機器は、当該カメラ付き携帯機器を構成する複数の筐体の位置関係に応じて機器本体の形態を複数のスタイルに変更可能なものであり、
前記カメラ付き携帯機器のスタイルを検出するスタイル検出ステップをさらに含み、
前記制御ステップでは、前記カメラ付き携帯機器の向きと、前記カメラ付き携帯機器のスタイルと、に基づいて、前記カメラの動作を制御する、カメラ制御方法。
【発明の詳細な説明】
【技術分野】
【０００１】
本発明は、カメラ付き携帯機器、および、カメラ付き携帯機器のカメラ制御方法に関する。
【背景技術】
【０００２】
特許文献１には、２つのカメラを備えた折り畳み可能な携帯機器が記載されている。特許文献１に記載の携帯機器は、機器本体を構成する複数の筐体が２軸ヒンジ部を介して互いに回転可能に連結されており、複数のスタイルに変形可能である。
【０００３】
特許文献１に記載の携帯機器は、自己のスタイルを検出し、その検出結果に応じて、２つのカメラのうちから、動作させるカメラを決定する。
【０００４】
特許文献２には、複数の撮影モードを有するカメラを備えた折り畳み可能な携帯機器が記載されている。特許文献２に記載の携帯機器も、特許文献１に記載の携帯機器と同様に、機器本体を構成する複数の筐体が２軸ヒンジ部を介して互いに回転可能に連結されており、複数のスタイルに変形可能である。
【０００５】
特許文献２に記載の携帯機器は、自己のスタイルを検出し、その検出結果に応じて、複数の撮影モードの中から、実際に使用される撮影モードを決定する。
【先行技術文献】
【特許文献】
【０００６】
【特許文献１】特開２００４−２１４９８８号公報
【特許文献２】特開２００９−２０６５４２号公報
【発明の概要】
【発明が解決しようとする課題】
【０００７】
特許文献１に記載の携帯機器、および、特許文献２に記載の携帯機器は、自己のスタイルを検出し、その検出結果に応じて、携帯機器が有するカメラの動作（オンオフまたは撮影モード）を設定する。
【０００８】
しかしながら、携帯機器のスタイルが同じであっても、使用者が要求するカメラの動作の設定（オンオフまたは撮影モード）が異なる場合がある。この場合、特許文献１に記載の携帯機器、および、特許文献２に記載の携帯機器は、携帯機器が有するカメラの動作（オンオフまたは撮影モード）を適切に設定できない。
【０００９】
以下、複数の撮影モードを有する２つのカメラを有し自己のスタイルを変更可能な携帯機器１００を例に挙げて、携帯機器のスタイルが同じであっても、使用者が要求するカメラの動作の設定が異なる場合を説明する。
【００１０】
図５Ａは、開いた状態の携帯機器１００の正面を示した図である。図５Ｂは、開いた状態の携帯機器１００の背面を示した図である。
【００１１】
図５Ａおよび５Ｂにおいて、携帯機器１００は、筐体１０１および１０２を有する。筐体１０１の面１０１Ａには、表示部１０１ａとカメラ１０１ｂが設けられ、筐体１０１の裏面１０１Ｂには、カメラは設けられていない。筐体１０２の面１０２Ａには、キー入力部１０２ａが設けられ、筐体１０２の裏面１０２Ｂには、カメラ１０２ｂが設けられている。なお、面１０１Ａは、辺１０１Ａ１、１０１Ａ２、１０１Ａ３および１０１Ａ４を有する。
【００１２】
図６Ａは、面１０１Ａと裏面１０２Ｂとが外側になり、裏面１０１Ｂと面１０２Ａとが対向し、かつ、辺１０１Ａ１が下側（鉛直方向側）になっている携帯機器１００の正面を示した図である。図６Ｂは、図６Ａに示した携帯機器１００の背面を示した図である。
【００１３】
携帯機器１００が図６Ａおよび６Ｂに示した状態である場合、使用者は携帯機器１００で自分を撮影することが多い。よって、この場合、使用者はカメラ１０１ｂを使用し人物を撮影する撮影モードを使用する可能性が高い。
【００１４】
図７Ａは、面１０１Ａと裏面１０２Ｂとが外側になり、裏面１０１Ｂと面１０２Ａとが対向し、かつ、辺１０１Ａ２が下側（鉛直方向側）になっている携帯機器１００の正面を示した図である。図７Ｂは、図７Ａに示した携帯機器１００の背面を示した図である。
【００１５】
携帯機器１００が図７Ａおよび７Ｂに示した状態である場合、使用者は携帯機器１００で自分の向かいにいる被写体を撮影することが多い。よって、この場合、使用者はカメラ１０２ｂを使用し風景を撮影する撮影モードを使用する可能性が高い。
【００１６】
図６Ａに示した携帯機器１００と図７Ａに示した携帯機器１００とは、スタイルが同じであるが、向きが異なり、使用者が要求するカメラの動作の設定（オンオフおよび撮影モード）も異なる。
【００１７】
特許文献１に記載の携帯機器、および、特許文献２に記載の携帯機器では、スタイルが同じであれば、カメラの制御は同じになる。よって、特許文献１に記載の携帯機器、および、特許文献２に記載の携帯機器は、使用者が要求するようにカメラを適切に制御できないという課題がある。
【００１８】
本発明の目的は、上述した課題を解決可能なカメラ付き携帯機器およびカメラ制御方法を提供することである。
【課題を解決するための手段】
【００１９】
本発明のカメラ付き携帯機器は、カメラを制御可能なカメラ付き携帯機器であって、前記カメラ付き携帯機器の向きを検出する向き検出手段と、前記向き検出手段の検出結果に基づいて、前記カメラを制御する制御手段と、を含む。
【００２０】
本発明のカメラ動作制御方法は、カメラを制御可能なカメラ付き携帯機器でのカメラ制御方法であって、前記カメラ付き携帯機器の向きを検出する向き検出ステップと、前記カメラ付き携帯機器の向きに基づいて、前記カメラを制御する制御ステップと、を含む。
【発明の効果】
【００２１】
本発明によれば、使用者が要求するようにカメラを適切に制御することが可能になる。
【図面の簡単な説明】
【００２２】
【図１Ａ】本発明の一実施形態のカメラ付き携帯機器１の外観を示した図である。
【図１Ｂ】カメラ付き携帯機器１の外観を示した図である。
【図２】カメラ付き携帯機器１を示したブロック図である。
【図３】カメラ設定情報テーブル記憶部４ｃ内のテーブルの一例を示した図である。
【図４Ａ】カメラ付き携帯機器１の外観を示した図である。
【図４Ｂ】カメラ付き携帯機器１の外観を示した図である。
【図５Ａ】開いた状態の携帯機器１００の正面を示した図である。
【図５Ｂ】開いた状態の携帯機器１００の背面を示した図である。
【図６Ａ】折り畳まれた状態の携帯機器１００の正面を示した図である。
【図６Ｂ】折り畳まれた状態の携帯機器１００の背面を示した図である。
【図７Ａ】折り畳まれた状態の携帯機器１００の正面を示した図である。
【図７Ｂ】折り畳まれた状態の携帯機器１００の背面を示した図である。
【発明を実施するための形態】
【００２３】
以下、本発明の一実施形態を図面を参照して説明する。
【００２４】
図１Ａおよび１Ｂは、本発明の一実施形態のカメラ付き携帯機器１の外観を示した図である。図１Ａおよび１Ｂにおいて、図５Ａおよび５Ｂと同一構成のものには同一符号を付してある。
【００２５】
図１Ａおよび１Ｂにおいて、カメラ付き携帯機器１は、筐体１０１および１０２を有する。筐体１０１および１０２は、不図示の２軸ヒンジ部を介して互いに回転可能に連結されている。カメラ付き携帯機器１は、筐体１０１および１０２の位置関係に応じて、機器本体の形態を複数のスタイルに変更可能である。
【００２６】
図２は、カメラ付き携帯機器１を示したブロック図である。
【００２７】
図２において、カメラ付き携帯機器１は、カメラ１０１ｂおよび１０２ｂと、加速度センサ２と、スタイル検出部３と、動作制御部４と、を含む。動作制御部４は、カメラ制御部４ａおよび４ｂと、カメラ設定情報テーブル記憶部４ｃと、制御部４ｄと、を含む。
【００２８】
加速度センサ２は、一般的に向き検出手段と呼ぶことができる。
【００２９】
加速度センサ２は、カメラ付き携帯機器１の向きを検出する。本実施形態では、加速度センサ２は、鉛直方向に対するカメラ付き携帯機器１の向きを検出する。そして、加速度センサ２は、図１Ａに示した辺１０１Ａ１、１０１Ａ２、１０１Ａ３および１０１Ａ４のうちで、下側（鉛直方向側）になっている辺を検出する。
【００３０】
スタイル検出部３は、一般的にスタイル検出手段と呼ぶことができる。
【００３１】
スタイル検出部３は、カメラ付き携帯機器１のスタイルを検出する。
【００３２】
スタイル検出部３は、例えば、図１Ａおよび１Ｂに示したように、面１０１Ａおよび裏面１０１Ｂに設けられた突起３ａと、カメラ付き携帯機器１が折り畳まれた際に突起３ａにて押下されるスイッチ３ｂと、を有する。スイッチ３ｂが押下されていないと、スタイル検出部３は、カメラ付き携帯機器１が開いているスタイルであることを検出する。スイッチ３ｂが押下されていると、スタイル検出部３は、カメラ付き携帯機器１が折り畳まれているスタイルであることを検出する。
【００３３】
なお、突起３ａの代わりに磁石が用いられ、スイッチ３ｂの代わりに磁力センサが用いられてもよい。この場合、磁力センサが閾値以上の磁力を検出していないと、スタイル検出部３は、カメラ付き携帯機器１が開いているスタイルであることを検出する。磁力センサが閾値以上の磁力を検出していると、スタイル検出部３は、カメラ付き携帯機器１が折り畳まれているスタイルであることを検出する。
【００３４】
動作制御部４は、一般的に制御手段と呼ぶことができる。
【００３５】
動作制御部４は、加速度センサ２の検出結果に基づいて、カメラ１０１ｂおよび１０２ｂを制御する。本実施形態では、動作制御部４は、加速度センサ２の検出結果と、スタイル検出部４ｂの検出結果と、に基づいて、カメラ１０１ｂおよび１０２ｂの動作（撮影モードの選択、および、カメラ１０１ｂおよび１０２ｂの動作／非動作の選択）を設定する。
【００３６】
カメラ制御部４ａは、制御部４ｄからの指示に従って、カメラ１０１ｂの動作を設定する。カメラ制御部４ｂは、制御部４ｄからの指示に従って、カメラ１０２ｂの動作を設定する。
【００３７】
なお、カメラが３つ以上の場合は、カメラとそのカメラに対応したカメラ制御部の組み合わせが追加される。
【００３８】
カメラ設定情報テーブル記憶部４ｃは、カメラ付き携帯機器１のスタイルおよび向きの組合せごとに、起動カメラと撮影モードとを示すテーブルを記憶する。
【００３９】
図３は、カメラ設定情報テーブル記憶部４ｃ内のテーブルの一例を示した図である。カメラ設定情報テーブル記憶部４ｃ内のテーブルは、例えば、予め使用者にて設定される。
【００４０】
なお、カメラ１０１ｂおよび１０２ｂは、撮影モードとして、撮影用設定モードと、画質設定モードと、を有するものとする。撮影用設定モードは、風景を撮影する撮影モード（風景用設定）と、人物を撮影する撮影モード（人物用設定）と、を有する。画質設定モードは、高画質モード（高画質）と、通常画質モード（通常画質）と、を有する。なお、撮影モードは、上記に限らず、１回の撮影動作（シャッタボタンの１回の操作）で１枚の静止画を撮影する単写モードと、１回の撮影動作で複数枚の静止画を撮影する連写モードと、動画を撮影する動画モードと、撮影画像の保存場所を設定する保存場所設定モードを有していてもよい。
【００４１】
制御部４ｄは、スタイル検出部３が検出したカメラ付き携帯機器１のスタイルと、加速度センサ２で得られたカメラ付き携帯機器１の向きと、を受け付ける。
【００４２】
制御部４ｄは、カメラ付き携帯機器１のスタイルと向きの組合せに対応する、起動カメラと撮影モードとを、カメラ設定情報テーブル記憶部４ｃ内のテーブルから読み出す。制御部４ｄは、テーブルから読み出された起動カメラが起動し、その起動カメラが、テーブルから読み出された撮影モードに設定されるように、カメラ制御部４ａまたは４ｂに指示を行う。
【００４３】
次に、動作を説明する。
【００４４】
使用者が、例えばカメラの起動用キー（不図示）を押下すると、制御部４ｄは、カメラを起動する旨の起動指示を受け付ける。
【００４５】
制御部４ｄは、起動指示を受け付けると、加速度センサ２とスタイル検出部３を作動させて、カメラ付き携帯機器１のスタイルと向きを表す情報を得る。
【００４６】
制御部４ｄは、カメラ付き携帯機器１のスタイルと向きとの組合せに対応する、起動カメラと撮影モードとを、カメラ設定情報テーブル記憶部４ｃ内のテーブルから読み出す。
【００４７】
制御部４ｄは、テーブルから読み出された起動カメラが起動し、その起動カメラが、テーブルから読み出された撮影モードに設定されるように、カメラ制御部４ａまたは４ｂに指示を行う。
【００４８】
例えば、カメラ設定情報テーブル記憶部４ｃ内のテーブルが、図３に示した情報を記憶している状況で、カメラ付き携帯機器１のスタイルとして、開いたスタイルが検出され、カメラ付き携帯機器１の向きとして、辺１０１Ａ３が下側（鉛直方向側）になっている向きが検出されると（図１Ａおよび１Ｂに示した状態）、制御部４ｄは、カメラ１０２ｂを起動しカメラ１０２ｂの撮影用設定モードを風景用設定としカメラ１０２ｂの画質設定モードを高画質にする旨の指示を、カメラ制御部４ｂに出す。
【００４９】
カメラ制御部４ｂは、この指示を受け付けると、この指示に従って、カメラ１０２ｂを起動しカメラ１０２ｂの撮影用設定モードを風景用設定としカメラ１０２の画質設定モードを高画質にする。
【００５０】
また、カメラ設定情報テーブル記憶部４ｃ内のテーブルが、図３に示した情報を記憶している状況で、カメラ付き携帯機器１のスタイルとして、折り畳まれたスタイルが検出され、カメラ付き携帯機器１の向きとして、辺１０１Ａ１が下側（鉛直方向側）になっている向きが検出されると（図４Ａおよび４Ｂに示した状態）、制御部４ｄは、カメラ１０１ｂを起動しカメラ１０１ｂの撮影用設定モードを人物用設定としカメラ１０１ｂの画質設定モードを通常画質にする旨の指示を、カメラ制御部４ａに出す。
【００５１】
カメラ制御部４ａは、この指示を受け付けると、この指示に従って、カメラ１０１ｂを起動しカメラ１０１ｂの撮影用設定モードを人物用設定としカメラ１０１ｂの画質設定モードを通常画質にする。
【００５２】
また、カメラ設定情報テーブル記憶部４ｃ内のテーブルが、図３に示した情報を記憶している状況で、カメラ付き携帯機器１のスタイルとして、折り畳まれたスタイルが検出され、カメラ付き携帯機器１の向きとして、辺１０１Ａ２が下側（鉛直方向側）になっている向きが検出されると、制御部４ｄは、カメラ１０２ｂを起動しカメラ１０２ｂの撮影用設定モードを風景用設定としカメラ１０２ｂの画質設定モードを高画質にする旨の指示を、カメラ制御部４ｂに出す。
【００５３】
カメラ制御部４ｂは、この指示を受け付けると、この指示に従って、カメラ１０２ｂを起動しカメラ１０２ｂの撮影用設定モードを風景用設定としカメラ１０２の画質設定モードを高画質にする。
【００５４】
なお、上記実施形態では、カメラが２個であったが、カメラは１個でもよく、また、３個以上であってもよい。
【００５５】
また、制御部４ｄは、カメラ設定情報テーブル記憶部４ｃ内のテーブルを用いずに、カメラ１０１ｂおよび１０２ｂを制御してもよい。
【００５６】
例えば、制御部４ｄは、カメラ１０１ｂおよび１０２ｂに関する使用履歴を、カメラ起動時のカメラ付き携帯機器１のスタイルと向きの組合せに関連づけて記憶する。その後、制御部４ｄは、起動指示を受け付けてカメラ付き携帯機器１のスタイルと向きを表す情報を得ると、スタイルと向きの組合せに関連づけられた使用履歴を解析して、使用者が過去に使用した頻度が高いカメラおよび撮影モードを特定する。制御部４ｄは、その特定されたカメラが起動し、そのカメラが、その特定された撮影モードに設定されるように、カメラ制御部４ａまたは４ｂに指示を行う。
【００５７】
本実施形態によれば、動作制御部４は、カメラ付き携帯機器１の向きを検出する加速度センサ２の検出結果に基づいて、カメラ１０１ｂおよび１０２ｂを制御する。
【００５８】
このため、カメラ付き携帯機器１のスタイルが同じであっても、カメラ１０１ｂおよび１０２ｂの設定（例えば、オンオフと撮影モード）を、カメラ付き携帯機器１の向きに応じて変更することが可能になる。したがって、使用者が要求するようにカメラを適切に制御することが可能になる。また、目標とするカメラの設定を完了するまでの操作の回数を少なくすることが可能になり、使用者は、快適にカメラ付き携帯機器１を使用することが可能になる。なお、この作用効果は、カメラ付き携帯機器１からスタイル検出部３が省略されても奏する。
【００５９】
本実施形態では、動作制御部４は、カメラを起動する旨の起動指示を受け付けたときの加速度センサ２の検出結果に基づいて、カメラ１０１ｂおよび１０２ｂを制御する。この場合、加速度センサ２は、カメラの起動の直前に動作すればよいので、加速度センサ２の動作時間を少なくすることができる。よって、加速度センサ２による消費電力を低減することが可能になる。
【００６０】
本実施形態では、動作制御部４は、加速度センサ２の検出結果に基づいて、カメラの撮影モードを制御する。この場合、カメラ付き携帯機器１の向きに応じて、カメラの撮影モードを変更することが可能になる。
【００６１】
本実施形態では、動作制御部４は、加速度センサ２の検出結果に基づいて、複数のカメラから、起動させるカメラを選択する。この場合、カメラ付き携帯機器１の向きに応じて、起動させるカメラを変更することが可能になる。
【００６２】
本実施形態では、動作制御部４は、カメラ付き携帯機器１の向きを検出する加速度センサ２の検出結果と、カメラ付き携帯機器１のスタイルを検出するスタイル検出部３の検出結果と、に基づいて、カメラ１０１ｂおよび１０２ｂを制御する。この場合、カメラ付き携帯機器１の向きとスタイルに応じて、カメラ１０１ｂおよび１０２ｂの設定（例えば、オンオフと撮影モード）を変更することが可能となる。
【００６３】
以上説明した実施形態において、図示した構成は単なる一例であって、本発明はその構成に限定されるものではない。
【符号の説明】
【００６４】
１、１００  カメラ付き携帯機器
１０１、１０２  筐体
１０１Ａ、１０２Ａ  面
１０１Ｂ、１０２Ｂ  裏面
１０１ａ    表示部
１０１ｂ、１０２ｂ  カメラ
１０２ａ    キー入力部
１０１Ａ１、１０１Ａ２、１０１Ａ３、１０１Ａ４  辺
２      加速度センサ
３      スタイル検出部
３ａ    突起
３ｂ    スイッチ
４      動作制御部
４ａ、４ｂ  カメラ制御部
４ｃ    カメラ設定情報テーブル記憶部
４ｄ    制御部
【図１Ａ】
2012124582.tif 000003
【図１Ｂ】
2012124582.tif 000004
【図２】
2012124582.tif 000005
【図３】
2012124582.tif 000006
【図４Ａ】
2012124582.tif 000007
【図４Ｂ】
2012124582.tif 000008
【図５Ａ】
2012124582.tif 000009
【図５Ｂ】
2012124582.tif 000010
【図６Ａ】
2012124582.tif 000011
【図６Ｂ】
2012124582.tif 000012
【図７Ａ】
2012124582.tif 000013
【図７Ｂ】
2012124582.tif 000014